(57)【要約】【課題】  本発明は通路の床面に幅方向開閉溝上を通行可能で該溝内に折畳収納した止水膜を通路を横断上昇させ、両端縁部を通路の両端設立柱に迅速容易に装着し洪水の緊急防災を計ることを目的とする。【解決手段】  通路床面１に折畳止水膜収納溝３を設け、上記止水膜２の上縁２”を上記通路の幅に亘る昇降自在横杆６に支持し、該横杆６の両端前後部を通路の両端設立柱８，８及び当て柱１１，１１にそれぞれ形成した横溝１０’，１０’に着脱自在に係合し、上記両端設立柱８，８と上記当て柱１１，１１との間にそれぞれ上記止水膜２を挟持し、上記両端設立柱８，８の内部空間ｓ，ｓ内に、上記止水膜２の左右両縁にそれぞれ設けた折畳自在板２ｂ，２ｂを配置し、上記両端設立柱８，８とそれらの当て柱１１，１１とに係合させるよう形成してなる通路止水装置。【選択図】  図２
2005226411.tif 000002
【特許請求の範囲】
【請求項１】
通路床面に折畳止水膜収納溝を形成し、該溝の上面開口部に通行用蓋を着脱自在に設けてなり、
上記止水膜の下縁を上記溝内に止水状態に支持し、
上縁を上記通路の幅に亘る昇降自在横杆に止水状態に支持し、
上記横杆の両端前部を通路の両端設立柱に形成した横溝に着脱自在に係合し、
該横杆の両端後部を、上記両端設立柱のそれぞれ後向面に近接して着脱自在に設立した当て柱にそれぞれ形成した横溝に着脱自在に係合し、
上記両端設立柱と上記当て柱との間にそれぞれ上記止水膜を止水状態に挟持し、
その状態において該止水状態挟持部の外側に形成された上記両端設立柱の内部空間内に、上記止水膜の左右両縁にそれぞれ設けた折畳自在板を配置し、
該折畳自在板を上記両端設立柱とそれらの当て柱とに係合させるよう形成してなる通路止水装置。
【請求項２】
上記横杆の両端前後部を上記両端設立柱及び上記当て柱にそれぞれ形成した横溝に係合した状態において、
上記両端設立柱と上記当て柱との上端部両側面を着脱金具で着脱自在に接続し、
当て柱の下端突起を上記止水膜収納溝の両端部底面に形成した小凹部に着脱自在に挿入した請求項１記載の通路止水装置。
【請求項３】
上記通路床面中程に間柱を着脱自在に立設し、
該間柱の上端後部切欠部に上記横杆中程前部を嵌合し、
該横杆の上面と上記間柱の上端面とを着脱金具で着脱自在に接続し、
上記間柱の下端突起を床面に形成した小凹部に着脱自在に挿入した請求項１又は２記載の通路の止水装置。
【請求項４】
上記間柱の前部を床面に斜支柱で支持した請求項１〜３のいずれかに記載の通路の止水装置。
【発明の詳細な説明】
【技術分野】
【０００１】
本発明は洪水時に通路を緊急止水し、地下構造物への流入防災装置に関するものである。
【背景技術】
【０００２】
従来、構造物の入口両側に対向溝形立柱を設け、防水板の左右両端部を上記対向溝内に挿入し、クレセントにより、両側立柱及び床面に上記防水板を着脱自在に密着（圧着）固定して構造物内への流水を防止した（例えば特許文献１）。
【０００３】
上記防水板による防水装置では金属製防水板又は止水板を構造物の入口部に他所から搬入する必要があり、該防水板又は止水板の収納場所を要し、緊急洪水に対応するため時間を要した。
【０００４】
【特許文献１】特許第３４５８０７７号公報
【発明の開示】
【発明が解決しようとする課題】
【０００５】
本発明は通路の床面に形成した幅方向開閉溝上を通行可能で該溝内に折畳収納した止水膜を通路を横断上昇させ、両端縁部を通路の両端設立柱に迅速容易に装着し洪水の緊急防災を計ることを目的とする。
【課題を解決するための手段】
【０００６】
上記の目的を達成するため本発明は
第１に通路床面に折畳止水膜収納溝を形成し、該溝の上面開口部に通行用蓋を着脱自在に設けてなり、上記止水膜の下縁を上記溝内に止水状態に支持し、上縁を上記通路の幅に亘る昇降自在横杆に止水状態に支持し、上記横杆の両端前部を通路の両端設立柱に形成した横溝に着脱自在に係合し、該横杆の両端後部を、上記両端設立柱のそれぞれ後向面に近接して着脱自在に設立した当て柱にそれぞれ形成した横溝に着脱自在に係合し、上記両端設立柱と上記当て柱との間にそれぞれ上記止水膜を止水状態に挟持し、その状態において該止水状態挟持部の外側に形成された上記両端設立柱の内部空間内に、上記止水膜の左右両縁にそれぞれ設けた折畳自在板を配置し、該折畳自在板を上記両端設立柱とそれらの当て柱とに係合させるよう形成してなる通路止水装置、
第２に上記横杆の両端前後部を上記両端設立柱及び上記当て柱にそれぞれ形成した横溝に係合した状態において、上記両端設立柱と上記当て柱との上端部両側面を着脱金具で着脱自在に接続し、当て柱の下端突起を上記止水膜収納溝の両端部底面に形成した小凹部に着脱自在に挿入した上記第１発明記載の通路止水装置、
第３に上記通路床面中程に間柱を着脱自在に立設し、該間柱の上端後部切欠部に上記横杆中程前部を嵌合し、該横杆の上面と上記間柱の上端面とを着脱金具で着脱自在に接続し、上記間柱の下端突起を床面に形成した小凹部に着脱自在に挿入した上記第１又は第２発明記載の通路の止水装置、
第４に上記間柱の前部を床面に斜支柱で支持した上記第１〜第３発明のいずれかに記載の通路の止水装置、
によって構成される。
【０００７】
従って通行用蓋を取外し、上記収納溝内に折畳まれている折畳止水膜の上縁に設けた横杆を上昇し、
該横管の両端前部を両端設立柱に形成した横溝に嵌込んで係合し、
該横管の両端後部を当て柱の横溝に嵌込んで係合し、
かつ両端設立柱と当て柱との間に上記止水膜の左右両縁部を止水状態に挟持することによって上記通路は止水される。
【０００８】
上記止水状態において上記止水膜の左右両縁の前後面に設けた折畳自在板が、上記両端設立柱と当て柱との外側の立柱内部空間内に係合し、水圧による止水膜牽引は阻止される。
【発明の効果】
【０００９】
本発明は上述のように構成したので、平時、通路床面の通行に差支えがなく、緊急洪水時に容易に止水膜を両端設立柱及び左右の当て柱間に挟持し、かつ止水膜の上縁横杆両端部を設立柱と当て柱の横溝間に係止し得るばかりでなく上記折畳自在板によって止水膜への水圧によるずれを防止し安全迅速かつ容易に止水膜を通路床面に堅牢に張設し得る効果がある。
【発明を実施するための最良の形態】
【００１０】
通路の床面１に、ゴム製止水膜２を折畳んで収納する溝３を通路の幅方向に形成する。
【００１１】
上記溝３の上面開口部は通行用蓋４を着脱自在に設け、該蓋４で平時は上記上面開口部を閉鎖し、該蓋４の上面を床面１の水準に一致させて通行又は歩行する。
【００１２】
上記止水膜２の下縁２’は上記溝３内の底部前向面に支持板５で挟持し、止水状態に保持される。
【００１３】
又上記止水膜２の上縁２”には通路の幅に亘って昇降自在に配置された縦断面方形（正方形又は前後方向に長い長方形）の水平横杆６を設ける。
【００１４】
上記横杆６は図１（ロ）（ハ）図に示すように内部に全長に亘ってパイプ７を内蔵し、
該横杆６の下面開口スリット６’から内部に挿入した止水膜２の上縁２”を上記パイプ７に止着して上縁２”を該横杆６に止水状態に支持する。
【００１５】
通路の左右両端設立柱８，８は構造物の対向壁９，９に接して止水状態に立設され、該設立柱８，８は図４（イ）（ロ）（ハ）図に示すように対向方向に開かれたコ形の内部空間ｓを有し、
上記設立柱８，８の上部後向面８’，８’に後向横溝１０，１０を形成し、上記横杆６の両端前部を図３、図４（イ）（ハ）図に示すように着脱自在に嵌込んで係合させる。
【００１６】
又上記設立柱８，８のそれぞれ後向面８’，８’に近接対向する当て柱１１，１１を設立する。
【００１７】
上記当て柱１１，１１の下端突起１１’，１１’を、図２、図３に示すように上記空間ｓの底面即ち上記収納溝３の左右両端部底面に形成した小凹部１２，１２内に嵌合して上記当て柱１１，１１の下部を固定し、
上記横杆６の両端後部を上記当て柱１１，１１の上部に形成した前向横溝１０’，１０’に図３、図４（イ）（ハ）図に示すように着脱自在に嵌込んで係合し、
当て柱１１，１１の上端部両側面と上記設立柱８，８の両側面とをそれぞれ引掛け締付け形着脱自在金具１３，１３により着脱自在に接続し、上記横杆６の左右両端部、止水膜２の左右両端部２’，２’を上記設立柱８，８及び当て柱１１，１１間に挟持する。
【００１８】
上記挟持状態においては止水膜２の左右両縁２ａ，２ａは上記空間ｓ内に収容され、図７（イ）（ロ）図に示すように該両縁２ａ，２ａの両面に突設した折畳自在板２ｂ，２ｂ・・・を設け、これを上記空間ｓ内に配置することによって上記対向近接する設立柱８，８と当て柱１１，１１とに上記折畳自在板２ｂ、２ｂ・・・を係合し、止水膜２の通路床面１側への摺動ストッパとする。
【００１９】
そして左右両端設立柱８，８のそれぞれ後向面には上記横溝１０，１０以下に上下方向の縦溝１４，１４を図３、図５に示すように止水膜２の下縁２’まで形成し、図７（イ）（ロ）図に示すように該縦溝１４，１４に止水ゴム１５を嵌合し、当て柱１１の前向面に該止水ゴム１５に圧接する横断面３角山形突条１６を形成し、該突条１６と上記止水ゴム１５との間に止水膜２を挟持して上記コ形内部空間ｓと止水膜２の前部空間ｓ’との間を止水状態に保持することができる。
【００２０】
上記着脱金具１３は図６（イ）（ロ）（ハ）図に示すように上記設立柱８の側面にフック１３’を固定し、該フック１３’に引掛けるリング１３”を当て柱１１の側面にピン１３ａにより枢支した締付け板１３ｂの側面に遊支１３ｃしてなり、締付け板１３ｂをピン１３ａを中心に起立し、リング１３”をフック１３’に引掛け、その状態で締付け板１３ｂを図６（ハ）図に示すように倒伏させることにより上記金具１３により上記設立柱８と当て柱１１とを接続することができる。
【００２１】
上記通路床面１の中程には図８（ロ）図に示すように上記溝３の前部床面に形成した小ピット１７に間柱１８の下端小突起１８’を嵌合し、
間柱１８の上端後部に形成した」形切欠部１８”に横杆６の中程前部を嵌合し、
該横杆６の上面と上記間柱１８の上端面とを上記着脱金具１３によって着脱自在に接続して該間柱１８の後面で止水膜２の中程を支持することができる。
【００２２】
上記間柱１８は上端前部から床面１に至る斜支柱１９で支持し、該支柱１９の下端は床面１上に設けた水平連杆２０によって上記間柱１８の下端に接続する。
【００２３】
尚図中８”は上記設立柱８の対向面平時閉鎖板、８ａはその天井板で上記当て柱１１は平時は上記空間ｓ内に収納され、上記止水膜２はゴムボード等のゴムシートが用いられるが他の防水シートであれば足りる。上記閉鎖板８”は上記設立柱８に蝶番により開閉自在に設けられる（図４（イ）（ロ）（ハ）図、図５、図７（イ）（ロ）図）。
【産業上の利用可能性】
【００２４】
日常、通路床面１の上記溝３は通行用蓋４で閉鎖され通行に差支えない。
【００２５】
しかし洪水による緊急時には該蓋４を取外し、上記溝３内の止水膜２を上昇させて上縁２”の横杆６を通路の両端設立柱８，８及び当て柱１１，１１に支持させることによって上記通路からの水の流入を防止又は阻止し、緊急に防災することができる。
【図面の簡単な説明】
【００２６】
【図１】（イ）図は本発明の通路止水装置の正面図、（ロ）図は（イ）図中央部の折畳止水膜収納溝の拡大縦断面図、（ハ）図は（イ）図左右両端部における上記収納溝の拡大縦断面図、（ニ）図は（ロ）（ハ）図の平面図、（ホ）図は（イ）図の拡大平面図である。
【図２】図１（イ）図の拡大正面図である。
【図３】閉鎖板を開いた状態の図２Ａ−Ａ線による側面図である。
【図４】（イ）図は閉鎖板を開いた状態の図２Ｂ−Ｂ線による平面図、（ロ）図は閉鎖板を閉じた状態の図２Ｂ−Ｂ線による平面図、（ハ）図は（イ）図の他の実施例の平面図である。
【図５】左側設立柱、当て柱、止水膜等の配置状態斜視図である。
【図６】（イ）図は左側設立柱、当て柱及び止水膜等の図３Ｃ−Ｃ線による縦断右側面図、（ロ）図は引掛け締付け形着脱自在金具の側面図、（ハ）図は（ロ）図Ｄ−Ｄ線による底面図である。
【図７】（イ）図は止水膜の左縁折畳板の配置及び当て柱控え状態横断面図、（ロ）図は上記設立柱と当て柱とによる止水膜挟持状態横断面図である。
【図８】（イ）図は間柱と横杆との接続状態平面図、（ロ）図は（イ）図Ｅ−Ｅ線による間柱の側面図である。
【符号の説明】
【００２７】
１      通路床面
２      止水膜
２’    下縁
２”    上縁
２ａ    左右両縁
２ｂ    折畳自在板
３      折畳止水膜収納溝
４      通行用蓋
５      下縁２’の支持板
６      昇降自在横杆
７      パイプ
８      両端設立柱
９      対向壁
１０，１０’  横溝
１１      当て柱
ｓ      内部空間
１２      小凹部
１３      引掛け締付け形着脱自在金具
１４      上下方向縦溝
１５      止水ゴム
１６      山形突条
１７      小ピット
１８      間柱
１８’    下端小突起
１８”    」形切欠部
１９      斜支柱
【図１】
2005226411.tif 000003
【図２】
2005226411.tif 000004
【図３】
2005226411.tif 000005
【図４】
2005226411.tif 000006
【図５】
2005226411.tif 000007
【図６】
2005226411.tif 000008
【図７】
2005226411.tif 000009
【図８】
2005226411.tif 000010